(57)【特許請求の範囲】
【請求項１】
端末部の一面側に硬質な補強板と、この補強板に係止部とを備えたＦＰＣ／ＦＦＣと、
箱形状を有する本体の正面側に開口する端末収容部と、
可撓性を有し、係合位置と係合解除位置との間を揺動可能に形成されたロックアームと、
端末収容部にＦＰＣ／ＦＦＣの端末部が収容された状態で、補強板の係止部と対向するロックアーム上の部位に、係止部と係合可能に配置された係合部と、
ロックアームの正面側に端末収容部に端末部を挿入する方向に対して斜めに形成された係合斜面と、
ロックアームに形成される解除受部と、を備えたコネクタハウジングと、
コネクタハウジングにスライド自在に配置され、係合解除部を具備するロック解除部材とからなり、
端末部を端末収容部に挿入した際に、ロックアームが弾性変形して、係合部が補強板上を乗越えて係止部と係合し、
ロックアームが係合位置へ弾性復帰する際の弾性力によって係止部と係合部とを係合保持するとともに、端末部を端末収容部内面に付勢保持し、
係止部と係合部とが係合した状態で、ロック解除部材をスライドさせると、係合解除部が解除受部に押接されて、ロックアームが係合位置から係合解除位置に変位し、係止部と係合部との係合が解除されることを特徴とするコネクタ。
【発明の詳細な説明】
【技術分野】
【０００１】
本発明は、フレキシブルプリント回路基板（ＦＰＣ）用、およびフレキシブルフラットケーブル（ＦＦＣ）用のコネクタに関するコネクタ。
【背景技術】
【０００２】
この種の従来のコネクタとして、例えば、特許文献１に開示されたものが知られている。特許文献１のコネクタは、図６、図７に示すように、基板１５０上に固定されるインシュレータ１１０と、スライダ１２０とから構成されている。インシュレータ１１０には、基板１５０上の回路にそれぞれが接続されたコンタクト群１１１が固定されており、このコンタクト群１１１にＦＰＣ１３０側端子となるランド群１３１を接触させることで、電気的に接続する。そして、コンタクト群１１１とランド群１３１とを圧接保持するために、ＦＰＣ１３０とインシュレータ１１０との間にスライダ１２０を挿入してランド群１３１をコンタクト群１１１に押付ける構成となっている。
【特許文献１】特開２００２−２３１３４６号公報
【発明の開示】
【発明が解決しようとする課題】
【０００３】
しかしながら、特許文献１のコネクタ１００の構造は、インシュレータ１１０内にコンタクト群とＦＰＣ１３０とスライダ１２０とを重ねる構造となるため、厚さ方向の寸法が大きくなる問題がある。
【０００４】
また、ＦＰＣ１３０は、薄く柔軟性が高いため、インシュレータ１１０内のコンタクト群とＦＰＣ１３０のランド群とを正しい位置で接触させつつ、スライダ１２０を組付けるにはノウハウや経験が必要である。
【０００５】
そこで、本発明は、前記した課題を解決すべくなされたものであり、厚さ方向の寸法を大きくすることなく、ＦＰＣ／ＦＦＣの接続作業を容易にできるコネクタを提供することを目的とする。
【課題を解決するための手段】
【０００６】
請求項１の発明は、端末部の一面側に硬質な補強板と、この補強板に係止部とを備えたＦＰＣ／ＦＦＣと、箱形状を有する本体の正面側に開口する端末収容部と、可撓性を有し、係合位置と係合解除位置との間を揺動可能に形成されたロックアームと、端末収容部にＦＰＣ／ＦＦＣの端末が収容された状態で、補強板の係止部と対向するロックアーム上の部位に、係止部と係合可能に配置された係合部と、ロックアームの正面側に端末収容部に端末部を挿入する方向に対して斜めに形成された係合斜面と、ロックアームに形成される解除受部と、を備えたコネクタハウジングと、コネクタハウジングにスライド自在に配置され、係合解除部を具備するロック解除部材とからなり、端末部を端末収容部に挿入した際に、ロックアームが弾性変形して、係合部が補強板上を乗越えて係止部と係合し、ロックアームが係合位置へ弾性復帰する際の弾性力によって係止部と係合部とを係合保持するとともに、端末部を端末収容部内面に付勢保持し、係止部と係合部とが係合した状態で、ロック解除部材をスライドさせると、係合解除部が解除受部に押接されて、ロックアームが係合位置から係合解除位置に変位し、係止部と係合部との係合が解除されることを特徴とする。
【発明の効果】
【０００７】
以上説明したように、請求項１の発明によれば、ＦＰＣ／ＦＦＣの端末部が硬質な補強板によって補強されたことで、ＦＰＣ／ＦＦＣの端末部をコネクタハウジングの端末収容部へ正確に挿入することが容易になる。
【０００８】
また、ロックアームを撓ませて、補強板の係止部とロックアームの係合部とを係合保持するので、接続作業が簡潔になるとともに、ロック解除部材をスライドさせることで、係止部と係合部との係合が解除されるので、接続解除作業も簡潔にできる。
【０００９】
端末部とコネクタハウジングとの電気的接触を保持するために別部材を必要としないため、厚さ方向の寸法を小さくすることができる。
【発明を実施するための最良の形態】
【００１０】
以下、本発明の一実施形態を図面に基づいて説明する。図１〜図５は本発明の一実施形態を示し、図１はコネクタを分離した状態を示す斜視図、図２は端末部とコネクタハウジングから分離した状態を示す図１のＡ−Ａ線に沿った断面図、図３は端末部をコネクタハウジングに挿入する様子を示す図１のＡ−Ａ線に沿った断面図、図４は端末部がコネクタハウジングに挿入完了した状態を示す図１のＡ−Ａ線に沿った断面図、図５はロック解除部材を操作した様子を示す図１のＡ−Ａ線に沿った断面図である。
【００１１】
本願のコネクタ１は、図１に示すように、フレキシブルプリント回路基板（ＦＰＣ）１０、またはフレキシブルフラットケーブル（ＦＦＣ）の端末部１１と、さまざまな装置本体の基板（図示せず）上に配置されるコネクタハウジング２０と、コネクタハウジング２０にスライド自在に配置されるロック解除部材４０とから構成されている。
【００１２】
ＦＰＣ１０、およびＦＦＣは、フィルム状の柔軟性を有する絶縁体上に電気回路、および配線が配索されている。そして、これらＦＰＣ／ＦＦＣ１０のコネクタハウジング２０に接続される端末部１１には、その一面側に硬質な補強板１２が配置されている。また、補強板１２には、矩形状の凹部からなる係止部１３が形成されている。
【００１３】
コネクタハウジング２０は、箱形状を有する本体２１を備えるとともに、本体２１の正面側に開口し、複数のコンタクト２３が収容される端末収容部２２が形成されている。また、本体２１には、ロックアーム３０とロック解除部材４０が配設されるスライド部２４が設けられている。
【００１４】
ロックアーム３０は、本体２１上面の幅方向両端部に配置され、背面側から正面側に延びる可撓腕部３１と、こらら可撓腕部３１の端部を連結する連結部３２とから構成されている。可撓腕部３１は、可撓性を有し、係合位置と係合解除位置との間を揺動可能に形成されている。また、連結部３２には、端末収容部２２にＦＰＣ／ＦＦＣ１０の端末部１１が収容された状態で、補強板１２の係止部１３と対向する部位に、係止部１３と係合可能に係合部３３が設けられている。連結部３２の正面側には、端末収容部２２に端末部１１を挿入する方向Ｘに対して斜めに形成された係合斜面３４が形成され、連結部３２の背面側には、挿入方向Ｘに対して斜めに形成された解除受部３５とが形成されている。
【００１５】
スライド部２４は、本体２１の端末収容部２２よりも背面側に位置し、挿入方向Ｘに沿って延びる溝形状に形成されている。
【００１６】
ロック解除部材４０は、スライド部２４の溝形状内にスライド自在に配置され、ロックアーム３０の解除受部３５と対向する部位に、解除受部３５に向かって係合解除部４１が突設されている。
【００１７】
次に、図２〜図５を用いて、ＦＰＣ／ＦＦＣ１０の端末部１１をコネクタハウジング２０に接続、解除する手順について説明する。まず、端末部１１を端末収容部２２に向かって配置する（図２）。端末部１１が端末収容部２２に挿入されると、端末部先端１１ａが係合斜面３４に当接し、可撓腕部３１を弾性変形させて係合解除位置へ押し上げ、係合部３３が補強板１２に乗上げる（図３）。さらに挿入すると、係合部３３が補強板１２上を乗越えて、端末部１１が端末収容部２２に配置され、可撓腕部３１が弾性復帰し、係合部３３と係止部１３とが係合し、接続が完了する（図４）。
【００１８】
接続が完了した状態にあるコネクタ１のロック解除部材４０を本体２１の正面側にスライドすると、係合解除部４１が解除受部３５に当接し、可撓腕部３１を弾性変形させて係合解除位置へ押し上げ、係合部３３が補強板１２に乗上げ、係止部１３と係合部３３との係合が解除される（図５）。この状態のまま、ＦＰＣ／ＦＦＣ１０の端末部１１を引き抜くとコネクタハウジング２０とＦＰＣ／ＦＦＣ１０の端末部１１とが分離し、接続が解除される。
【００１９】
上記構成のコネクタでは、ＦＰＣ／ＦＦＣの端末部が硬質な補強板によって補強されたことで、ＦＰＣ／ＦＦＣの端末部をコネクタハウジングの端末収容部へ正確に挿入することが容易になる。
【００２０】
また、ロックアームを撓ませて、補強板の係止部とロックアームの係合部とを係合保持するので、接続作業が簡潔になるとともに、ロック解除部材をスライドさせることで、係止部と係合部との係合が解除されるので、接続解除作業も簡潔にできる。
【００２１】
端末部とコネクタハウジングとの電気的接触を保持するために別部材を必要としないため、厚さ方向の寸法を小さくすることができる。
【００２２】
なお、本実施形態では、ロック解除部材をコネクタハウジングの正面側へスライドさせることで係止部と係合部との係合を解除させる構成としたが、コネクタハウジングの幅方向にロック解除部材をスライドさせることで係止部と係合部との係合を解除させる構成としても同様の作用効果が得られる。
【００２３】
また、本実施形態では、補強板に形成した矩形状の凹部を係止部とする構成としたが、このような凹部を形成せずに、補強板の後端を係止部として、係合部を係合させる構成としても同様の作用効果が得られる。
【図面の簡単な説明】
【００２４】
【図１】本発明の一実施形態を示し、コネクタを分離した状態を示す斜視図である。
【図２】本発明の一実施形態を示し、端末部とコネクタハウジングから分離した状態を示す図１のＡ−Ａ線に沿った断面図である。
【図３】本発明の一実施形態を示し、端末部をコネクタハウジングに挿入する様子を示す図１のＡ−Ａ線に沿った断面図である。
【図４】本発明の一実施形態を示し、端末部がコネクタハウジングに挿入完了した状態を示す図１のＡ−Ａ線に沿った断面図である。
【図５】本発明の一実施形態を示し、ロック解除部材を操作した様子を示す図１のＡ−Ａ線に沿った断面図である。
【図６】従来例のコネクタを示す分解斜視図である。
【図７】従来例のコネクタを組立てた状態で、図６のＢ−Ｂ線に沿った断面図である。
【符号の説明】
【００２５】
１…コネクタ
１０…ＦＰＣ／ＦＦＣ
１１…端末部
１２…補強板
１３…係止部
２０…コネクタハウジング
２１…本体
２２…端末収容部
２３…コンタクト
３０…ロックアーム
３３…係合部
３４…係合斜面
３５…解除受部
４０…ロック解除部材
４１…係合解除部
【図１】
0004989534.tif 000002
【図２】
0004989534.tif 000003
【図３】
0004989534.tif 000004
【図４】
0004989534.tif 000005
【図５】
0004989534.tif 000006
【図６】
0004989534.tif 000007
【図７】
0004989534.tif 000008